(57)【要約】【課題】無人化された店舗であっても、商品購入者がどのような商品を手に取ったか把握でき、かつ、精算時に読み取り手段の誤操作等により全ての商品を読み取れなかった場合であっても、読み取れなかった商品を特定するための参考となる情報を提示する商品管理装置を提供することを目的としている。【解決手段】商品に添付されたタグ装置の発信信号の受信状態の変化に基づいてその変化のあった商品の識別情報を記憶する受信状態記憶部と、前記受信状態の変化が閾値以上の商品の一覧を出力する一覧出力部と、を備えることを特徴とする商品管理装置を提供する。【選択図】図１
2018160035.tif 000002
【特許請求の範囲】
【請求項１】
商品に添付されたタグ装置の発信信号の受信状態の変化に基づいてその変化のあった商品の識別情報を記憶する受信状態記憶部と、
前記受信状態の変化が閾値以上の商品の一覧を出力する一覧出力部と、
を備えることを特徴とする商品管理装置。
【請求項２】
精算時に複数の商品それぞれに添付された前記タグ装置の発信する発信信号に基づいて第一総重量を算出し、前記複数の商品を計量した第二総重量と前記第一総重量との差分に基づいて前記受信状態の変化を記憶した前記商品の識別情報の中から前記一覧に示す商品の識別情報を特定することを特徴とする請求項１に記載の商品管理装置。
【請求項３】
前記受信状態がＲＳＳＩ値であることを特徴とする請求項１又は請求項２に記載の商品管理装置。
【請求項４】
商品購入者が店舗に入店してから、前記受信状態記憶部が、前記受信状態の変化のあった商品の識別情報を記憶することを特徴とする請求項１ないし請求項３のいずれか１項に記載の商品管理装置。
【請求項５】
商品に添付されたタグ装置の発信信号の受信状態の変化に基づいてその変化のあった商品の識別情報を記憶する受信状態記憶部と、商品の一覧を出力する一覧出力部と、を備えた商品管理装置の制御方法であって、
前記受信状態の変化が閾値以上の商品の一覧を出力するように前記一覧出力部を制御することを特徴とする商品管理装置の制御方法。
【請求項６】
商品に添付されたタグ装置の発信信号の受信状態の変化に基づいてその変化のあった商品の識別情報を記憶する受信状態記憶部と、商品の一覧を出力する一覧出力部と、を備えた商品管理装置のコンピュータを、
前記受信状態の変化が閾値以上の商品の一覧を出力するように前記一覧出力部を制御する制御手段として機能させることを特徴とするプログラム。
【発明の詳細な説明】
【技術分野】
【０００１】
本発明は、商品管理装置、商品管理装置の制御方法、及びプログラムに関する。
【背景技術】
【０００２】
近年、コンビニエンスストア等の店舗において、人件費削減の要望のもと無人化の流れが強まっており、それに向けた技術開発がなされている。このような無人化の店舗においては、店員が商品を精算しないことから、精算方法を各種工夫する必要があり、鋭意研究がなされてきた。
【０００３】
例えば、特許文献１には、商品購入者が自らバーコードリーダ等の商品読み取り手段によって、商品の金額等の情報を読み取る技術において、重量に着目して商品購入の精算を行う技術が開示されている。
【０００４】
この特許文献１においては、まず、商品購入者は、購入予定商品が入った買い物カゴを、商品読み取り手段の前段に設けられた重量計測手段上に置き、読み取り前の買い物カゴの重量を測定する。
次に、商品購入者が当該買い物カゴから商品を取り出し、商品読み取り手段によって商品を読み取ることで、商品の価格データ及び重量データを取得し、購入商品の累積価格及び累積重量を算出する。
そして、商品購入者は、商品読み取り手段によって読み取った後の商品を、後段に設置した重量計測手段上の買い物カゴの中に置き、読み取り後の買い物カゴの重量を測定する。
【０００５】
そして、例えば、商品読み取り手段で識別し算出された商品の総重量と、商品読み取り後の買い物カゴの重量を比較し、一致しなければ全ての商品を読み取っていないことになるので、その旨を商品購入者に知らせ、全商品の読み取りを促すことが開示されている。
【先行技術文献】
【特許文献】
【０００６】
【特許文献１】特開２００５−２５０９３１号公報
【発明の概要】
【発明が解決しようとする課題】
【０００７】
ところで、店舗の無人化が進むと、店員の目視による確認がなくなるため、商品購入者が商品陳列棚のどの商品を手に取ったかを把握できなくなる、という課題があった。
また、特許文献１に記載された技術では、精算時に読み取り手段の誤操作等により、全ての商品を読み取れなかった場合、誤操作があったことは知らされるが、読み取れなかった商品を特定するための参考となる情報が提示されない。そのため、再度全ての商品について読み取りを行うという煩雑さがあった。
【０００８】
そこで、本発明は、無人化された店舗であっても、商品購入者がどのような商品を手に取ったか把握でき、かつ、精算時に読み取り手段の誤操作等により全ての商品を読み取れなかった場合であっても、読み取れなかった商品を特定するための参考となる情報を提示する商品管理装置を提供することを目的としている。
【課題を解決するための手段】
【０００９】
本発明は、上述の課題を解決すべくなされたもので、上記目的を達成するために、以下の構成を採用した。
本発明の一実施形態による商品管理装置は、商品に添付されたタグ装置の発信信号の受信状態の変化に基づいてその変化のあった商品の識別情報を記憶する受信状態記憶部と、前記受信状態の変化が閾値以上の商品の一覧を出力する一覧出力部と、を備えることを特徴とする。
【００１０】
また、本発明の一実施形態による商品管理装置の制御方法は、商品に添付されたタグ装置の発信信号の受信状態の変化に基づいてその変化のあった商品の識別情報を記憶する受信状態記憶部と、商品の一覧を出力する一覧出力部と、を備えた商品管理装置の制御方法であって、前記受信状態の変化が閾値以上の商品の一覧を出力するように前記一覧出力部を制御することを特徴とする。
【００１１】
また、本発明一実施形態によるプログラムは、商品に添付されたタグ装置の発信信号の受信状態の変化に基づいてその変化のあった商品の識別情報を記憶する受信状態記憶部と、商品の一覧を出力する一覧出力部と、を備えた商品管理装置のコンピュータを、前記受信状態の変化が閾値以上の商品の一覧を出力するように前記一覧出力部を制御する制御手段として機能させることを特徴とする。
【発明の効果】
【００１２】
本発明によれば、無人化された店舗であっても、商品購入者がどのような商品を手に取ったか把握でき、かつ、精算時に読み取り手段の誤操作等により全ての商品を読み取れなかった際に、読み取れなかった商品を特定するための参考となる情報を提示することができる。
【図面の簡単な説明】
【００１３】
【図１】本発明の第１の実施形態の商品管理装置を示す図である。
【図２】本発明の第２の実施形態の商品管理装置を示す図である。
【図３】本発明の第２の実施形態の商品管理装置の制御方法を示すフローチャートである。
【図４】本発明の第２の実施形態の商品管理装置の制御方法を示すフローチャートである。
【図５】本発明の第２の実施形態の商品管理装置の制御方法を示すフローチャートである。
【発明を実施するための形態】
【００１４】
［第１の実施形態］
＜商品管理装置＞  
まず、本発明の第１の実施形態である商品管理装置１について説明する。第１の実施形態に係る商品管理装置１は、図１に示すように、受信状態記憶部２と一覧出力部３を備えている。
【００１５】
受信状態記憶部２は、商品に添付されたタグ装置の発信信号の受信状態の変化に基づいてその変化のあった商品の商品識別情報を記憶する機能部である。
タグ装置としては、ＲＦＩＤ（Ｒａｄｉｏ Ｆｒｅｑｕｅｎｃｙ ＩＤｅｎｔｉｆｉｅｒ）タグなどが例示できる。ＲＦＩＤタグは、商品識別情報を記憶したメモリを有するＩＣチップと、アンテナコイルを備えている。
また、発信信号の受信状態としては、ＲＳＳＩ（Ｒｅｃｅｉｖｅｄ  Ｓｉｇｎａｌ  Ｓｔｒｅｎｇｔｈ  Ｉｎｄｉｃａｔｏｒ）値（受信強度）等を例示することができる。
【００１６】
商品に添付されたタグ装置の発信信号の受信状態の変化は、例えば、商品購入者が、商品を手に取る等して商品を物理的に移動させた際に生じる。
【００１７】
一覧出力部３は、受信状態の変化が閾値以上の商品の一覧を出力する機能部である。
【００１８】
＜商品管理装置の制御方法＞
本実施形態では、商品管理装置１について、受信状態の変化が閾値以上の商品の一覧を出力するように一覧出力部３を制御する。
受信状態の変化につき、閾値以上を要求したのは、例えば、タグ装置としてＲＦＩＤタグを用いた場合、商品が物理的に移動していなくとも、ＲＳＳＩ値は少し変化することがある。そこで、商品が移動したと判定するために、受信状態の変化につき、閾値以上であることを要件としている。
なお、受信状態の変化には、受信しなくなった場合も含まれる。この場合、受信できる位置から、受信できない位置に商品が移動したと考えられるからである。
【００１９】
本実施形態では、商品に添付されたタグ装置の発信信号の受信状態を常時監視し、閾値以上変化した商品を一覧として出力することができる。そして、受信状態が閾値以上変化している以上、この一覧として出力された商品は、物理的に移動した商品だといえる。
したがって、無人化された店舗であっても、商品購入者がどのような商品を手に取ったか把握することができる。
これにより、実際に購入した商品だけでなく、実際には購入しなかったが、手に取って興味を持った商品がどれかという、消費者動向に関するマーケティング情報を得ることができる。
【００２０】
また、本実施形態によれば、精算時にＲＦＩＤリーダの誤操作等により購入予定の全ての商品のＲＦＩＤタグを読み取れなかった場合でも、商品の一覧が提示されるので、商品購入者は容易に読み取れなかった商品を特定することができる。
すなわち、受信状態の変化に基づいて特定される商品は、物理的に移動した商品なので、買い物カゴの中に入れられた蓋然性の高い商品である。
そこで、ここから、既にＲＦＩＤリーダで読み取り済みの商品を除くことで、精算時に買い物カゴの中に入っている可能性が高く、かつ、ＲＦＩＤリーダで読み取れなかった商品の一覧を提供することが可能となる。
したがって、商品購入者は、買い物カゴの中から、この商品の一覧にある商品を探すことで、読み取れなかった商品を容易に特定することができる。
【００２１】
［第２の実施形態］
＜商品管理装置＞
次に、本発明の第２の実施形態に係る商品管理装置について説明する。
本実施形態の商品管理装置１１は、図２に示すように、ＲＦＩＤアンテナ１２と、ＲＦＩＤモジュール１３と、記憶部１４と、重量計測部１５と、表示部１６と、操作部１７と、精算処理部１８と、制御部１９を有する。
【００２２】
ＲＦＩＤアンテナ１２は、商品に添付されたＲＦＩＤタグとの電波授受を受け持つアンテナであり、商品に添付されたＲＦＩＤタグからの発信信号を受信する。また、ＲＦＩＤモジュール１３は、ＲＦＩＤアンテナが受信した信号から商品識別情報及びＲＳＳＩ値を読み取り、これらを制御部１９に出力する。
ＲＦＩＤアンテナ１２は、店舗の天井や商品棚等に所定間隔を置いて複数配置されているのが好ましい。
【００２３】
記憶部１４には、商品に関する各種情報が記憶されており、具体的には、商品識別情報、商品名、商品の重量、ＲＳＳＩ値、及びＲＦＩＤタグから発信された発信信号を受信したＲＦＩＤアンテナ番号等が記憶されている。
また、記憶部１４は、これらの情報を制御部１９に出力したり、制御部１９の指示に基づきこれらの情報を記憶したりする。
なお、ＲＦＩＤアンテナ番号とは、ＲＦＩＤアンテナを個別に識別する番号であり、１つのアンテナにつき１つの番号が割り当てられている。
【００２４】
重量計測部１５は、例えば重量センサ等を備えており、商品購入者の購入予定商品の重量を計測し、計測結果を制御部１９に出力する。具体的な計測方法としては、例えば、購入予定商品が入った買い物カゴをそのまま重量センサによって計測する方法が考えられる。
【００２５】
表示部１６は、例えば液晶パネル等の表示デバイスを備え、制御部１９からの出力に基づいて各種情報を表示する。
操作部１７は、商品購入者が行う種々の操作を検出し、その操作に応じた操作信号を制御部１９に出力する。
【００２６】
精算処理部１８は、商品読み取り部２０、支払額読み取り部２１、釣銭支払部２２を備えており、商品の精算処理を行う機能部である。
商品読み取り部２０は、例えば、各々の商品に添付されたＲＦＩＤタグから商品識別情報を読み取るＲＦＩＤリーダなどからなり、読み取った商品識別情報を制御部１９に出力する。なお、ＲＦＩＤリーダは、買い物カゴの中に入っている全商品のＲＦＩＤタグを一度に読み取ることができるが、位置関係によっては商品の一部について、ＲＦＩＤタグを読み取れないこともある。
【００２７】
また、支払額読み取り部２１は、商品購入者から支払われた金銭の額を読み取り、読み取った金銭の額を制御部に出力する。
また、釣銭支払部２２は、制御部１９からの指示に基づき、商品購入者に対して釣銭を支払う。
【００２８】
制御部１９は、ＲＦＩＤモジュール１３、記憶部１４、重量計測部１５、表示部１６、操作部１７、商品読み取り部２０、支払額読み取り部２１、及び釣銭支払部２２からの各種の出力を受け付け、又はこれらに各種の指示をするとともに、各種の演算処理を行う機能部である。制御部１９が行う具体的な処理については、後述する。
【００２９】
＜商品管理装置の制御方法＞
次に、本実施形態の商品管理装置１１の制御方法について、図３を用いて説明する。
【００３０】
（ステップＳ１）
まず、商品購入者が店舗内に入店するなど、適宜のタイミングにより店舗内の全商品について、ＲＦＩＤタグが発信する発信信号を受信するようにする。
具体的には、各商品に添付されたＲＦＩＤタグから発信された発信信号を、ＲＦＩＤアンテナ１２によって受信する。そして、ＲＦＩＤモジュール１３は、制御部１９の指示に基づき、ＲＦＩＤアンテナ１２が受信した電波から商品識別情報及びＲＳＳＩ値を読み出し、これらと共にＲＦＩＤアンテナ番号を制御部１９に出力する。
なお、商品購入者が店舗内に入店したことを検知する検知手段が設けられていても構わない。
【００３１】
（ステップＳ２）
次に、制御部１９は、一定時刻毎にステップＳ１で入力された商品識別情報、ＲＳＳＩ値、及びＲＦＩＤアンテナ番号を、記憶部１４に出力する。記憶部１４は、商品識別情報毎にこれらの情報と、これらの情報を取得した時刻を記憶する。
一定時刻としては、任意の期間を設定することができるが、ＲＳＳＩ値を連続的に調べることが望ましいことから、短い期間を設定することが好ましい。
【００３２】
（ステップＳ３）
次に、商品購入者が精算処理を始めたか否かを確認する。確認の仕方としては、例えば商品購入者が買い物カゴを重量計測部１５に置いたかを確認してもよいし、商品購入者が操作部１７を用いて精算処理を開始する旨の入力操作をしたかを確認しても構わない。
なお、商品購入者が精算処理を開始しない場合はステップＳ１に戻る。
【００３３】
（ステップＳ４）
ステップＳ３にて精算処理を開始した場合は、次に、購入予定商品の予定合計金額及び予定合計重量を算出する。
具体的には、ＲＦＩＤリーダによって、買い物カゴの中に入っている商品に添付されたＲＦＩＤタグを読み取ることで、商品読み取り部２０が商品毎に商品識別情報を読み取る。そして、商品読み取り部２０は、この読み取った商品識別情報を制御部１９に出力する。
そして、制御部１９は、この商品識別情報を基に、記憶部１４に記憶されている商品を特定し、その価格及び重量を取得し、購入予定の全商品の予定合計金額及び予定合計重量を算出する。
【００３４】
（ステップＳ５）
次に、購入予定商品の総重量を計測する。
具体的には、買い物カゴが置かれた重量計測部１５が、買い物カゴの重量を計測することによって、購入予定商品の合計重量を計測する。また、重量計測部１５は、計測結果を制御部１９に出力する。
【００３５】
（ステップＳ６）
次に、制御部１９は、ステップＳ４で算出された予定合計重量と、ステップＳ５で計測された合計重量を比較する。
なお、比較の結果、予定合計重量が合計重量よりも軽くなることはあっても、重くなることは考えられない。ＲＦＩＤリーダによる読み取りは、ＲＦＩＤタグの位置等により全ての商品を読み取れないことはあり得るが、重量計測部１５は必ず全ての商品の重量を測定できる。したがって、ＲＦＩＤリーダによって読み取って算出した予定合計重量は、常に、重量計測部１５によって測定した重量と同じか、又は軽い重さとなる。
【００３６】
（ステップＳ７）
ステップＳ６での比較の結果、両者が一致した場合は、代金の精算手続きを実行する。
具体的には、図４に示すように、制御部１９は、ステップＳ４で算出した予定合計金額を表示部１６に出力する。表示部１６は、この制御部１９の指示に基づき表示デバイスに予定合計金額を表示する。
【００３７】
（ステップＳ８）
次に、商品購入者が支払額読み取り部２１に金銭を投入し、支払額読み取り部２１が支払われた金銭の種別及び数量を読み取る。そして、支払額読み取り部２１は、読み取った金銭に関する情報を制御部１９に出力する。制御部１９は、この情報をもとに支払額を算出する。
【００３８】
（ステップＳ９）
次に、制御部１９は、ステップＳ８で算出された支払額と、ステップＳ４で算出した予定合計金額とを比較する。
一致する場合は、本制御方法を終了する。
【００３９】
（ステップ１０）
ステップＳ９での比較の結果、ステップＳ８で算出された支払額の方が多い場合、制御部１９は、支払額と予定合計金額の差額を算出し、釣銭支払部２２に対して、この差額を釣銭として支払うよう指示する。そして、釣銭支払部２２は、制御部１９からの指示に従って釣銭を支払い、本制御方法を終了する。
【００４０】
（ステップＳ１１）
ステップＳ９での比較の結果、ステップＳ８で算出された支払額の方が少ない場合は、制御部１９は、追加の支払いのアナウンスをするよう表示部１６に指示する。表示部１６は、制御部１９からの指示に基づいて、表示デバイスに追加の支払いのアナウンスを表示する。その後は、商品購入者が追加の支払いをするので、ステップＳ８に戻る。
【００４１】
（ステップＳ１２）
ステップＳ６での比較の結果、予定合計重量の方が軽い場合は、商品の一覧を出力する操作を開始する。ここで、予定合計重量の方が軽い場合とは、商品のＲＦＩＤタグの位置等に起因して、ＲＦＩＤリーダが買い物カゴ内の全商品を読み取れなかったことを意味している。
そして、商品の一覧を出力するのは、商品購入者に再読み込みをすべき商品を特定するための、参考となる情報を提供するためである。
具体的には、まず、図５に示すように、制御部１９が、ステップＳ４で算出された予定合計重量と、ステップＳ５で計測された合計重量の差分を算出する。
【００４２】
（ステップＳ１３）
次に、制御部１９は、記憶部１４に記憶されている商品のうち、閾値以上にＲＳＳＩ値が変化した商品、及びＲＦＩＤアンテナ番号が変化した商品を特定する。
物理的に移動していない商品であれば、ＲＳＳＩ値は閾値以上には変化しないので、閾値以上にＲＳＳＩ値が変化した商品は、物理的に移動した商品だといえる。
【００４３】
また、移動していない商品であれば、ＲＦＩＤタグからの発信信号を受信するＲＦＩＤアンテナ１２は変動しないので、ＲＦＩＤアンテナ番号が変化した商品は、物理的に移動した商品だといえる。
このように、本ステップによって特定される商品は、物理的に移動した商品といえる。
【００４４】
（ステップＳ１４）
次に、制御部１９は、ステップＳ１３で特定した商品のうち、ステップＳ１２で算出された差分をもとに、この差分と整合する商品を特定する。
差分と整合する商品とは、差分と重量が一致する商品でも構わないし、合計重量が差分と一致する複数の商品であっても構わないし、差分以下の重量の全商品でも構わない。
例えば、差分が５００ｇであった際に、ステップＳ１３で特定した商品のうち、商品の重量が５００ｇのものを特定してもよいし、合計重量が５００ｇになる複数の商品（例えば、２００ｇの商品と３００ｇの商品）を特定しても構わないし、５００ｇ以下の全商品を特定しても構わない。
【００４５】
（ステップＳ１５）
次に、制御部１９は、ステップＳ１５で特定された商品のうち、ステップＳ４で特定された商品を除いた商品を表示部１６に出力する。そして、表示部１６は、制御部１９からの出力に基づいて、当該商品をＲＦＩＤリーダによって読み取れなかった商品の候補として一覧にして液晶デバイスに表示する。
ステップＳ４で特定された商品を除くのは、既に読み込み済みの商品について、商品購入者に再読み込みを促しても意味がないからである。
【００４６】
（ステップＳ１６）
次に、購入予定商品の予定合計金額及び予定合計重量を再算出する。
具体的には、商品購入者がステップＳ１５で表示された商品の一覧をもとに、買い物カゴに入っている商品の中から特定の商品について、ＲＦＩＤリーダで読み取れるよう、例えばＲＦＩＤタグの位置を変えるなど、適宜の操作をする。
そして、商品読み取り部２０は、商品のＲＦＩＤタグから商品識別情報を読み取り、この読み取った商品識別情報を制御部１９に出力する。
制御部１９は、この商品識別情報を基に、記憶部１４に記憶された対応する商品を特定し、当該商品の価格及び重量を取得し、ステップＳ４で算出された予定合計金額及び予定合計重量に加算して、購入予定商品の予定合計金額及び予定合計重量を再算出する。
【００４７】
（ステップＳ１７）
次に、ステップＳ１６で再算出された予定合計重量と、ステップＳ５で計測された合計重量を比較する。
比較の結果、両者が一致した場合は、ステップＳ７へ進み、予定合計重量の方が軽い場合は、ステップＳ１２に戻る。
なお、ステップＳ６において説明したように、予定合計重量の方が重くなることはない。
【００４８】
以上説明した本実施形態の商品管理装置１１及び商品管理装置１１の制御方法によれば、第１の実施形態と同様に、無人化された店舗であっても、商品購入者がどのような商品を手に取ったか把握することができる。
また、精算時にＲＦＩＤリーダが購入予定の全ての商品のＲＦＩＤタグを読み取れなかった場合でも、商品の一覧が提示されるので、商品購入者は容易に読み取れなかった商品を特定することができる。
【００４９】
また、本実施形態では、算出された予定合計重量と実際に測定した合計重量との差分に基づいて、商品の一覧を商品購入者に提示している。これにより、商品購入者に提示する一覧に含まれる商品数を限定することができ、買い物カゴの中から読み取れなかった商品を、より容易に特定することができる。
【００５０】
また、商品購入者が店舗に入店してから、ＲＳＳＩ値を読み出すようにすることで、商品購入者が店舗に入店している時間においてＲＳＳＩ値が変化した商品のみを、商品の一覧として商品購入者に提示できる。これにより、商品購入者に提示する一覧に含まれる商品数を限定することができ、買い物カゴの中から読み取れなかった商品を、より容易に特定することができる。
【００５１】
以上、本発明を実施形態に基づき説明したが、本発明は、上記実施形態に限定されるものではなく、その要旨を逸脱しない範囲で種々変更可能であることは言うまでもない。
例えば、上記第２の実施形態では、予定合計重量が合計重量よりも軽い場合に、ＲＳＳＩ値をもとに物理的に移動した商品を特定することについて説明したが、予定合計重量と合計重量の比較とは関係なく、常時、物理的に移動した商品を特定しているように制御しても構わない。
【００５２】
なお、上記実施形態における商品管理装置１、１１は、コンピュータシステムを有している。そして、上述した商品管理装置における各処理を行わせるためのプログラムは、当該商品管理装置のコンピュータ読み取り可能な記録媒体に記憶されており、このプログラムをサーバ装置のコンピュータが読みだして実行することによって、上記処理が行われる。ここでコンピュータ読み取り可能な記録媒体とは、磁気ディスク、光磁気ディスク、ＣＤ−ＲＯＭ，ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５３】
また、上記プログラムは、上述した各処理部の機能の一部を実現するためのものであっても良い。さらに、上述した機能をコンピュータシステムにすでに記録されているプログラムとの組み合わせで実現できるもの、いわゆる差分ファイル（差分プログラム）であっても良い。
【符号の説明】
【００５４】
１，１１・・・商品管理装置、２・・・受信状態記憶部、３・・・一覧出力部、１２・・・ＲＦＩＤアンテナ、１３・・・ＲＦＩＤモジュール、１４・・・記憶部、１５・・・重量計測部、１６・・・表示部、１７・・・操作部、１８・・・精算処理部、１９・・・制御部、２０・・・商品読み取り部、２１・・・支払額読み取り部、２２・・・釣銭支払部
【図１】
2018160035.tif 000003
【図２】
2018160035.tif 000004
【図３】
2018160035.tif 000005
【図４】
2018160035.tif 000006
【図５】
2018160035.tif 000007